(57)【要約】【課題】カラープリンタでカラーマチングを行う際、ソースプロファイルの方が出力色再現範囲最低明度が低い場合でも、出力画像の黒点付近の階調性を保つ。【解決手段】ソースプロファイルと出力色再現範囲との最低明度点を比較して条件に一致した場合、予め設定した補正目標値まで出力色再現範囲の最低明度点を補正し、補正色変換テーブルを作成する。入力画像に対して補正色変換テーブルを用いて色変換を行う。【選択図】図８
2008258845.tif 000002
【特許請求の範囲】
【請求項１】
色変換処理を行うことができるカラー画像処理システムにおいて、
設定又は出力条件を判定する出力条件判定手段と、
ソースプロファイルと出力色再現範囲との最低明度値を比較する最低明度値比較手段と、
前記出力条件判定手段による判定結果と前記最低明度値比較手段による比較結果とにより作成を要すると判断された場合、前記出力色再現範囲を補正し色変換テーブルを作成する補正色変換テーブル作成手段と、
前記出力条件判定手段による判定結果又は前記最低明度値比較手段による比較結果に基づいて、通常色変換テーブルと前記補正色変換テーブルとを使い分けて色変換処理を行う色変換処理手段と
を備えたことを特徴とするカラー画像処理システム。
【請求項２】
前記補正色変換テーブル作成手段は、最低明度を持つ色度点をあらかじめ設定した目標明度に補正し、それに伴い前記出力色再現範囲を明度と彩度に重み付けをすることにより該出力色再現範囲の全体のバランスを保ちながら補正することを特徴とする請求項１に記載のカラー画像処理システム。
【請求項３】
前記出力条件判定手段は、入力手段が受け付けるユーザの指示による前記設定によって前記通常色変換テーブルを使い分けることを特徴とする請求項１に記載のカラー画像処理システム。
【請求項４】
前記出力条件判定手段は、前記出力条件によって前記通常色変換テーブルを自動的に使い分けることを特徴とする請求項１に記載のカラー画像処理システム。
【請求項５】
前記目標明度は、前記出力色再現範囲の最低明度又は形状に合わせて設定されることを特徴とする請求項２に記載のカラー画像処理システム。
【請求項６】
前記目標明度について補正レベルを選択できるように、複数の目標明度を規定するパラメータが設定されているテーブルを保持することを特徴とする請求項２に記載のカラー画像処理システム。
【請求項７】
前記出力条件は、入力画像の属性情報、グレー補償設定、又はソースプロファイルの種類を含むことを特徴とする請求項４に記載のカラー画像処理システム。
【請求項８】
ソースプロファイルの変更又は補正レベル再設定によって、前記最低明度値比較手段と前記補正色変換テーブル作成手段とを順次起動し、前記補正色変換テーブルを再作成することを特徴とする請求項１に記載のカラー画像処理システム。
【請求項９】
ネットワーク上で接続された色変換処理を行うことができる複数のカラー画像形成装置に関する、同じソースプロファイル、同じ画像が入力された際に、各々のカラー画像形成装置の出力色再現範囲の最低明度点とソースプロファイルの最低明度点との関係から、各々のカラー画像形成装置の補正色変換テーブルを作成し補正を行うことを特徴とする請求項１に記載のカラー画像処理システム。
【請求項１０】
色変換処理を行うことができるカラー画像処理システムのカラー画像処理方法において、
出力条件判定手段が設定又は出力条件を判定する出力条件判定ステップと、
最低明度値比較手段がソースプロファイルと出力色再現範囲との最低明度値を比較する最低明度値比較ステップと、
前記出力条件判定ステップにおける判定結果と前記最低明度値比較ステップにおける比較結果とにより作成を要すると判断された場合、補正色変換テーブル作成手段が前記出力色再現範囲を補正し色変換テーブルを作成する補正色変換テーブル作成ステップと、
前記出力条件判定ステップにおける判定結果又は前記最低明度値比較ステップにおける比較結果に基づいて、色変換処理手段が通常色変換テーブルと前記補正色変換テーブルとを使い分けて色変換処理を行う色変換処理ステップと
を備えることを特徴とするカラー画像処理方法。
【請求項１１】
前記補正色変換テーブル作成ステップにおいて、最低明度を持つ色度点をあらかじめ設定した目標明度に補正し、それに伴い前記出力色再現範囲を明度と彩度に重み付けをすることにより該出力色再現範囲の全体のバランスを保ちながら補正することを特徴とする請求項１０に記載のカラー画像処理方法。
【請求項１２】
前記出力条件判定ステップにおいて、入力手段が受け付けるユーザの指示による前記設定によって前記通常色変換テーブルを使い分けることを特徴とする請求項１０に記載のカラー画像処理方法。
【請求項１３】
前記出力条件判定ステップにおいて、前記出力条件によって前記通常色変換テーブルを自動的に使い分けることを特徴とする請求項１０に記載のカラー画像処理方法。
【請求項１４】
前記目標明度は、前記出力色再現範囲の最低明度又は形状に合わせて設定されることを特徴とする請求項１１に記載のカラー画像処理方法。
【請求項１５】
前記目標明度について補正レベルを選択できるように、複数の目標明度を規定するパラメータが設定されているテーブルを保持することを特徴とする請求項１１に記載のカラー画像処理方法。
【請求項１６】
前記出力条件は、入力画像の属性情報、グレー補償設定、又はソースプロファイルの種類を含むことを特徴とする請求項１３に記載のカラー画像処理方法。
【請求項１７】
ソースプロファイルの変更又は補正レベル再設定によって、前記最低明度値比較ステップと前記補正色変換テーブル作成ステップとを順次起動し、前記補正色変換テーブルを再作成することを特徴とする請求項１０に記載のカラー画像処理方法。
【請求項１８】
ネットワーク上で接続された色変換処理を行うことができる複数のカラー画像形成装置に関する、同じソースプロファイル、同じ画像が入力された際に、各々のカラー画像形成装置の出力色再現範囲の最低明度点とソースプロファイルの最低明度点との関係から、各々のカラー画像形成装置の補正色変換テーブルを作成し補正を行うことを特徴とする請求項１０に記載のカラー画像処理方法。
【請求項１９】
請求項１０乃至１８のいずれかに記載のカラー画像処理方法の各ステップをコンピュータに実行させることを特徴とするプログラム。
【発明の詳細な説明】
【技術分野】
【０００１】
本発明は、カラー画像処理システム及び方法に関し、より詳細には、ターゲットとなる出力機よりも色再現範囲が小さいプリンタに対する色補正技術に係る、カラー画像処理システム及び方法並びにプログラムに関する。
【背景技術】
【０００２】
各種デバイスを利用した画像処理システムのカラーマネージメントにおいて、重要な役割を果たすデータの一つとして、カラープロファイルがある。カラープロファイルはそのデバイスの色再現特性が記述されており、デバイスの出力色を所望の色にするためのカラーマッチング処理に使用される。一般的なカラープロファイルの規格の一つとしてICC（International Color Consortium）で規格化されているプロファイルがよく知られており、カラーマッチング処理において標準的に使用されている。
【０００３】
昨今、インクジェット方式や電子写真方式のプリンタの普及により、カラーマネージメント技術が一般的になってきた。ユーザは、その出力用途によってプロファイルを設定し、最適なマッチングインテント（異なる色空間を互いに縮めたり延ばしたりして合わせ込む場合の、その延ばし方・縮め方の方法）を選択することにより、目的にあった出力物を得ることができる。特に電子写真方式のプリンタは、印刷機のシミュレーション用途に使用されることも多い。それらは、ソースプロファイルにＪａｐａｎ Ｃｏｌｏｒ、ＤＩＣといったＣＭＹＫ系のプロファイルや、ｓＲＧＢやスキャナ用プロファイルといったＲＧＢ系プロファイルなど、様々な種類のプロファイルを指定することが可能なものが存在する。
【０００４】
プリンタの出力色再現範囲の大きさや形状は、デバイスによってまちまちである。ソースプロファイルの色再現範囲と出力色再現範囲が大幅に異なると、出力される色に問題が生じる。例えば図５は、ソースプロファイルの方が出力色再現範囲よりも最低明度が低い場合の色再現範囲を図示した図である。この場合、ソースプロファイルの最低明度minL_srcが出力色再現範囲minL_dstよりも小さい。そのため、明度がminL_src〜minL_dstの範囲内の色度点がすべてminL_dstにマッピングされてしまい、階調がつぶれてしまうという問題がある。
【０００５】
このような問題点を解決するため、出力色再現範囲、特に図１６のように低明度部を仮想的に補正してからマッピングするという方法が考えられる。その補正方法の一つとして、特許文献１のような方法が提案されている（特許文献１参照）。これは、出力デバイスの色再現域のもつ最低明度Ｌ*が、ターゲットとする色再現域のもつ最低明度L*'と異なる場合の方法である。即ち、最低明度が高い方の低明度領域のみの色再現域を仮想的に引き伸ばし、他方の色再現域と明度レンジを合わせてからマッピングを行う方法である。
【０００６】
このような方法を用いれば、あるソースプロファイル設定時における黒点付近の階調性は補償できる。しかし先に述べたとおり、特にＭＦＰ（Ｍｕｌｔｉ  Ｆｕｎｃｔｉｏｎ  Ｐｅｒｉｐｈｅｒａｌ：マルチファンクション周辺機器）の場合は様々なソースプロファイルを設定可能である。そのため、各ソースプロファイルの色再現範囲はまちまちで、表現できる最低明度値の差も大きい。デスティネーション（プリンタ）プロファイルには固定の色変換テーブルしか格納できないため、設定されるソースプロファイルによっては出力画像ダーク部の階調性が悪くなってしまうという問題がある。
【０００７】
このような問題を解決する手段として、入力画像によって出力色再現範囲の補正方法を変更する方法が提案されている（例えば、特許文献２参照）。特許文献２では、入力画像信号の明度成分の最大値および最小値を検出し、入力画像信号の明度成分を補間演算する前に、この最大明度値および最小明度値に応じて圧縮処理を実施するという方法が提案されている。
【０００８】
【特許文献１】特開平２００６−０８１０８０号公報
【特許文献２】特開平１０−２００７７３号公報
【発明の開示】
【発明が解決しようとする課題】
【０００９】
しかしながら、特許文献１では明度方向のみの重み付け関数を用いて明度補正を行っているため、ダーク部の出力色再現範囲形状がいびつな場合に対応できない。また、色再現領域においても同様の補正を行っているため、ダーク部以外も同様に補正されてしまい、マッチング精度が落ちてしまう恐れがある。
【００１０】
また、特許文献２では、入力画像信号の最大・最小明度値によってガマット（Gamut；モニタ、プリンタなどそれぞれの色再現域）圧縮処理を変える方法が提案されているが、入力画像ごとに処理行うと処理時間がかかってしまう。また、画像によっては階調性よりも色差を重視すべきものがあるので、そのような場合に柔軟に対応できないという課題がある。また、図１７のようなネットワーク上に存在する複数のプリンタに対して同じソースプロファイル、同じ画像を入力した場合に、各プリンタの出力色再現範囲（ガマット）の違いから、同じ印象の出力画像を得ることは難しい。
【００１１】
本発明は、このような課題に鑑みてなされたもので、その目的とするところは、ダーク部階調性又は色差重視にフレキシブルに対応した色変換を行え、出力色再現範囲全体のバランスを考えた補正を行える、カラー画像処理システム及び方法を提供することにある。
【課題を解決するための手段】
【００１２】
このような目的を達成するために、本発明のカラー画像処理システムは、色変換処理を行うことができるカラー画像処理システム（１５０１）であって、設定又は出力条件を判定する出力条件判定手段（１５０２、S８０１、S１１０１〜S１１０３）と、ソースプロファイルと出力色再現範囲との最低明度値を比較する最低明度値比較手段（１５０２、S８０３、S１１０６）と、前記出力条件判定手段による判定結果と前記最低明度値比較手段による比較結果とにより作成を要すると判断された場合、前記出力色再現範囲を補正し色変換テーブルを作成する補正色変換テーブル作成手段（１５０２、S８０４〜S８０５、S１１０７〜S１１０８）と、前記出力条件判定手段による判定結果又は前記最低明度値比較手段による比較結果に基づいて、通常色変換テーブルと前記補正色変換テーブルとを使い分けて色変換処理を行う色変換処理手段（１５０２、S８０６、S８０８、S１１０９、S１１０４）とを備えたことを特徴とする。
【００１３】
また上記目的を達成するために、本発明のカラー画像処理方は、色変換処理を行うことができるカラー画像処理システムのカラー画像処理方法であって、出力条件判定手段が設定又は出力条件を判定する出力条件判定ステップと、最低明度値比較手段がソースプロファイルと出力色再現範囲との最低明度値を比較する最低明度値比較ステップと、前記出力条件判定ステップにおける判定結果と前記最低明度値比較ステップにおける比較結果とにより作成を要すると判断された場合、補正色変換テーブル作成手段が前記出力色再現範囲を補正し色変換テーブルを作成する補正色変換テーブル作成ステップと、前記出力条件判定ステップにおける判定結果又は前記最低明度値比較ステップにおける比較結果に基づいて、色変換処理手段が通常色変換テーブルと前記補正色変換テーブルとを使い分けて色変換処理を行う色変換処理ステップとを備えることを特徴とする。
【００１４】
また上記目的を達成するために、本発明のプログラムは、上記に記載のカラー画像処理方法の各ステップをコンピュータに実行させることを特徴とする。
【００１５】
尚、特許請求の範囲の構成要素と対応する実施形態中の図中符号等を（）で示した。ただし、特許請求の範囲に記載した構成要素は上記（）部の実施形態の構成要素に限定されるものではない。
【発明の効果】
【００１６】
本発明によれば、ソースプロファイルと出力色再現範囲の最低明度値に差がある場合でも、ダーク部階調性重視・色差重視の中から最適なものを選んで色変換を行うことができる。また、出力色再現範囲全体のバランスを考えた補正を行うことができる。
【発明を実施するための最良の形態】
【００１７】
以下、図面を参照して本発明を適用できる実施形態を詳細に説明する。尚、本明細書で参照される各図面において同様の機能を有する箇所には同一の符号を付している。
【００１８】
（実施形態１）  
＜画像形成装置の構成＞
図１は、本実施形態に使用する４Ｄ（ドラム）カラー系ＭＦＰの構成を示す断面図である。
【００１９】
４Ｄカラー系ＭＦＰ（４ドラム系画像形成装置）は、スキャナ部１、レーザ露光部２、感光ドラム３、作像部４、定着部５、給紙／搬送部６及び、これらを制御する不図示のプリンタ制御部から構成される。
【００２０】
スキャナ部１は、原稿台に置かれた原稿に対して、照明を当てて原稿画像を光学的に読み取り、その像を電気信号に変換して画像データを作成する工程である。
レーザ露光部２は、上記画像データに応じて変調されたレーザ光などの光線を等角速度で回転する回転多面鏡（ポリゴンミラー７）に入射させ、反射走査光として感光ドラム３に照射する。
【００２１】
作像部４は、感光ドラム３を回転駆動し、帯電器によって帯電させ、上記レーザ露光部２によって感光ドラム３上に形成された潜像をトナーによって現像し、そのトナー像をシートに転写する。作像部４は、その際に転写されずに感光ドラム３上に残った微小トナーを回収する。作像部４は、これら一連の電子写真プロセスの現像ユニット（現像ステーション）を４連持つ。シアン（Ｃ）、マゼンタ（Ｍ）、イエロー（Ｙ）、ブラック（Ｋ）の順に並べられた４連の現像ユニットは、シアンステーションの作像開始から所定時間経過後に、マゼンタ、イエロー、ブラックの作像動作を順次実行していく。このタイミング制御によって、シート上に色ずれのない、フルカラートナー像が転写される。
【００２２】
定着部５は、ローラやベルトの組み合わせによって構成され、ハロゲンヒータなどの熱源を内蔵し、上記作像部４によってトナー像が転写されたシート上のトナーを、熱と圧力によって溶解、定着させる。
【００２３】
給紙／搬送部６は、シートカセットやペーパーデッキに代表されるシート収納庫９を一つ以上持っており、上記プリンタ制御部の指示に応じてシート収納庫９に収納された複数のシートの中から一枚分離し、作像部４及び定着部５へ搬送する。シートは搬送され、前述の現像ステーションによって、各色のトナー像が転写され、最終的にフルカラートナー像がシート上に形成される。また、給紙／搬送部６は、シートの両面に画像形成する場合は、定着部５を通過したシートを再度作像部４へ搬送する両面搬送経路８を通るように制御する。
【００２４】
プリンタ制御部（不図示）は、ＭＦＰ全体を制御するＭＦＰ制御部と通信して、その指示に応じて制御を実行する。同時に、プリンタ制御部（不図示）は、前述のスキャナ部１、レーザ露光部２、作像部４、定着部５、給紙／搬送部６の各部の状態を管理しながら、全体が調和を保って円滑に動作できるよう指示を行う。
【００２５】
図２は、４Ｄカラー系ＭＦＰの１つの作像系を示す図である。本実施形態のＭＦＰは、この作像系が各色（Ｃｙａｎ、Ｍａｇｅｎｔａ、Ｙｅｌｌｏｗ、Ｂｌａｃｋ）分用意されている。プリンタ制御部（不図示）からの出力指示情報に伴い、感光ドラム３が右回り方向に回転する。以下、クリーナユニット１０から順次説明を行う。
【００２６】
クリーナユニット１０は、感光ドラム３に付着しているトナーを回収し、ドラム表面を清掃する。前露光LED（不図示）は感光ドラムの残留電荷を消去するために使用される。一次帯電器１１は、グリッドと呼ばれる放電装置を有し、ドラム表面電位を規定状態にする。電位センサ１２はレーザで照射された部分の電位（Ｖｌ）や露光されない一次帯電電位（Ｖｄ）等の表面電位を測定する。プリンタ制御部（不図示）は、電源ON後、一定枚数出力時などのタイミングで表面電位を測定し、適宜レーザの光量、帯電バイアス、現像バイアスなどを変更する。現像器１３は潜像部にトナー像を形成する。その後、所定のタイミングでシートが給紙搬送され、転写帯電器１４で静電転写され、次の色（最終色であれば定着器）へと進む。４色転写された転写紙は、不図示の定着装置に送られて加圧及び加熱されてトナー像が定着された後に本体の外に排出される。
【００２７】
ここでは４Ｄカラー系ＭＦＰを例として挙げたが、１ドラム系画像形成装置でも本発明を適用することができる。
【００２８】
＜コントローラ部、画像処理部の構成＞
図３は、ＭＦＰのモジュール構成を示すブロック図である。
【００２９】
図３において、入力画像処理部１５は、紙原稿などをスキャナなどの画像読み取り装置で読み取り、読み取られた画像データを画像処理する。
【００３０】
ＮＩＣ（Ｎｅｔｗｏｒｋ  Ｉｎｔｅｒｆａｃｅ  Ｃａｒｄ）部２３は、ネットワークを利用して入力された画像データ（主に、ＰＤＬデータ）をＲＩＰ部１６に渡し、またＭＦＰ内部の画像データや装置情報をネットワーク経由で外部に送信する。ＲＩＰ部１６は、入力されたＰＤＬ（Ｐａｇｅ  Ｄｅｓｃｒｉｐｔｉｏｎ  Ｌａｎｇｕａｇｅ）データを解読し、ＲＩＰ（Ｒａｓｔｅｒ  Ｉｍａｇｅ  Ｐｒｏｃｅｓｓｏｒ）展開する部分である。
【００３１】
次に、入力された画像データは、ＭＦＰ制御部１８に送られる。ＭＦＰ制御部１８は、入力されるデータや出力するデータを制御する交通整理の役割を果たしている。
【００３２】
また、ＭＦＰ制御部１８に入力された画像データは、一旦メモリ部１９に格納される。格納された画像データは、一時的に格納され、又は必要に応じて呼び出される。
【００３３】
出力画像処理部２０は、画像データにプリントするための画像処理を施し、プリンタ部２１へ送る。
【００３４】
プリンタ部２１では、シートを給紙し、出力画像処理部２０で作られた画像データをそのシート上に順次印字していく。プリントアウトされたシートは後処理部２２へ送り込まれ、シートの仕分け処理やシートの仕上げ処理が行われる。
【００３５】
更に、操作部１７は、上記の様々なフローや機能を選択し又は操作指示するためのものであるが、操作部１７の表示装置の高解像度化に伴い、メモリ部にある画像データをプレビューし、確認後ＯＫならばプリントする、といった使い方もできる。
【００３６】
このように、ＭＦＰには様々な機能と利用方法があり、以下にその例を示す（→は、データ処理フローを示す）。
複写機能                    ：入力画像処理部１５→出力画像処理部２０→プリンタ部２１
ネットワークスキャン        ：入力画像処理部１５→ＮＩＣ部１６
ネットワークプリント        ：ＮＩＣ部２３→ＲＩＰ部１６→出力画像処理部２０→プリンタ部２１
ボックススキャン機能        ：入力画像処理部１５→出力画像処理部２０→メモリ部１９
ボックスプリント機能        ：メモリ部１９→プリンタ部２１
ボックス受信機能            ：ＮＩＣ部２３→ＲＩＰ部１６→出力画像処理部２０→メモリ部１９
ボックス送信機能            ：メモリ部１９→ＮＩＣ部２３
プレビュー機能              ：メモリ部１９→操作部１７
【００３７】
＜ディジタルプリントシステムの構成＞
図４は、本実施形態で想定するネットワークプリントシステムの構成の一例を示すブロック図である。
【００３８】
ここには、ネットワーク４４に接続されたプリントサーバ４３、クライアントＰＣ４１及び４２、上述したようなカラーＭＦＰ４６ａ〜４６ｃ、及び白黒ＭＦＰ４５ａ及び４５ｂがそれぞれ１つまたは複数個存在している。複数個のＭＦＰが、図４におけるディジタルプリント部を構成する。クライアントＰＣは、カラー画像処理システムとしての機能を有する。
【００３９】
プリントサーバ４３は、２つの役割を持っている。１つ目の役割は、ディジタルプリント部の外部と情報の送受であり、入稿されるジョブの画像情報や設定情報などは、まずプリントサーバ４３に入力され、そのジョブが終了するとステータスなどの情報を外部に知らせる。もう１つの役割は、ディジタルプリント部内部の管理制御であり、外部から入力されたジョブ及び、ディジタルプリント部の内部で発生したジョブは、プリントサーバ４３で一元管理されている。プリントサーバ４３は、ディジタルプリント部の内部にある全てのデバイスと全てのジョブの状況が監視できると共に、ジョブの一時停止、設定変更、印刷再開あるいは、ジョブの複製、移動、削除などの制御が行える。
【００４０】
クライアントＰＣ４１及び４２は、入力されたアプリケーションファイルの編集、印刷指示、あるいは、プリントレディファイルの投入の役割と、プリントサーバ４３で管理されているデバイスやジョブの監視や制御の補佐する役割を持っている。
【００４１】
図１５は、本発明を適用できる実施形態のカラー画像処理システムの構成を示すブロック図である。具体的には、カラー画像処理システムとしての機能を有するクライアントＰＣ４１等の構成の一例を示す。図１５においてホストコンピュータ１５０１はＣＰＵ１５０２、メモリ１５０３、外部記憶１５０４、入カ部１５０５、外部とのインタフェース１５０６等を有する。ＣＰＵ１５０２は、メモリ１５０３に格納されたプログラム（プリンタドライバ、ＲＩＰ、カラープロファイル作成ユーティリティプログラム等）を実行することで、図８等を参照して後述する処理手順や、図１４を参照して後述するカラーマッチング等を実現する。これらプログラムは外部記憶装置１５０４に記憶されており、外部記憶装置１５０４からメモリ１５０３にロードされる。また、ICCプロファイルも外部記憶装置１５０４に記憶されている。
【００４２】
入カ部１５０５は、マウス等のポインティングデバイスやキーボード等の入力機器（不図示）が接続されており、入力機器のインタフェースを総じて模式的に表したものである。インタフェース１５０６は、外部との入出力インタフェースを総じて模式的に表したものである。ホストコンピュータ１５０１はインタフェース１５０６を介して、カラー画像出力装置１５０７や、不図示の他の外部の機器やＬＡＮ等のネットワークと接続されている。カラー画像出力装置１５０７は、カラーレーザプリンタ、インクジェットプリンタ等、又は本実施形態におけるＭＦＰ等である。不図示の他の外部の機器は、スキャナ、デジタルカメラ、モニタ、カラーセンサ等である。ホストコンピュータ１５０１は、例えばプリンタドライバによって画像処理を施した画像データをカラー画像出力装置１５０７に送信して印刷記録を行わせる。
【００４３】
＜動作説明＞  
以上述べた構成において次にその動作について説明する。
【００４４】
図８は、本実施形態のカラー画像処理システムの色変換処理を説明するメインのフローチャートである。図８示す処理手順は、上述した図１５のホストコンピュータ１５０１のＣＰＵ１５０２が、メモリ１５０３にロードされているカラープロファイル作成ユーティリティプログラムを読み出して実行することにより行われる。
【００４５】
ステップS８００において、図４のようなネットワーク上につながっている、あるクライアントＰＣのＣＰＵ１５０２は、図１、２及び３のような構成のプリンタ（カラーＭＦＰ４６ａ又は４６ｂ）へ印刷命令を送ると共に、ステップS８０１の処理へ進む。
【００４６】
ステップS８０１において、ＣＰＵ１５０２は、黒色付近の階調性を維持する設定になっているか否かを判定する。この設定を行う箇所としては、ＰＣ画面のドライバＵＩ（user interface）やプリンタ本体のパネルなどがある。
【００４７】
図６は、黒色点付近の階調性を維持するか否かを設定できるプリンタ（ＭＦＰ）のドライバＵＩのＰＣ画面の一例を示す図である。図６中の「黒点付近の階調性を維持する」にチェックを入れることで、ダーク部の階調性を生かした色再現が得られる処理が適用される。逆にそのチェックを外してあれば、階調性は失われがちになるものの色差がより小さくなるような処理が適用されることになる。本実施形態は、これらの設定をユーザのプリント用途に応じて選べることが特徴である。
【００４８】
尚、図６ではチェックのON/OFFの２択のみの設定となっているが、その代替の実施形態として、図１２のように、どの程度階調性維持処理を施すかその程度を変えられるような設定画面にすることも可能である。
【００４９】
一方、図７は、プリンタ本体（ＭＦＰ）のパネルで黒点付近の階調性維持設定を行う際の設定例を示す図である。このように、上述の図６を参照し説明したような設定を、本体パネルで設定することも可能である。この場合、ステップＳ８０１でＣＰＵ１５０２は、プリンタ本体と通信し、図７に示した設定結果をプリンタ本体から取得する。
【００５０】
黒色付近の階調性を維持する設定になっている場合は、ＣＰＵ１５０２は、ステップS８０２の処理に進み、そうでない場合はステップS８０８の処理に進む。
【００５１】
ステップS８０２において、ＣＰＵ１５０２は、設定されたソースプロファイルの最低明度値（以下、minL_srcとする）と出力色再現範囲の最低明度値（以下、minL_dstとする）を取得する。これらは、ICCプロファイルであればA２Bテーブルを参照することによって取得することができる。続いてＣＰＵ１５０２は、ステップS８０３の処理に進む。
【００５２】
ステップS８０３において、ＣＰＵ１５０２は、minL_srcとminL_dstとを比較し、あらかじめ設定されている最低明度補正目標値（以下、L_correctとする）との関係が以下のようになるかを判定する。  
minL_dst - L_correct >= minL_src  （１）
【００５３】
ここで、L_correctは出力色再現範囲の最低明度値と、黒色点付近の階調性と色再現精度との兼ね合いを考えて、適切な値が設定されている。上記の式（１）では、図１０に示すように出力色再現範囲の最低明度値を、最低明度補正目標値まで補正すると、ソースプロファイルの最低明度値よりも大きくなるか否かを判定している。この式（１）が成り立つ場合、ＣＰＵ１５０２は、ステップS８０４の処理に進み、補正によってソースプロファイルの最低明度値よりも小さくなる場合はステップS８０８の処理に進む。
【００５４】
ステップS８０４において、ＣＰＵ１５０２は、出力色再現範囲の補正後の最低明度値（以下、Lmin_dst’とする；目標明度）が以下のようになるよう、色変換テーブルを補正する。  
minL_dst’= minL_dst - L_correct
【００５５】
この詳細処理については、図９を参照して後述する。  
ステップS８０５において、ＣＰＵ１５０２は、ステップS８０４での結果を受けて補正色変換テーブルを作成し、格納部（メモリ１５０３）に格納してステップS８０６の処理に進む。
【００５６】
ステップS８０６において、ＣＰＵ１５０２は、ステップS８０５で作成した補正色変換テーブルを使用して入力画像の色変換を行い、ステップS８０７の処理に進む。
【００５７】
ステップS８０８においては、ＣＰＵ１５０２は、通常の色変換テーブルを使用して入力画像の色変換を行い、ステップS８０７の処理に進む。
【００５８】
ステップS８０７において、ＣＰＵ１５０２は、色処理された画像の出力指示をプリンタに対して行い、処理を終了する。
【００５９】
なお、ソースプロファイルが切り替わった際は、ＣＰＵ１５０２は、ステップS８０２の処理からやりなおし、補正色変換テーブルを再作成する。また、図１２のようなＵＩから補正レベルが設定しなおされた場合も同様に、補正色変換テーブルの再作成が行われる。
【００６０】
図１４は、カラーマッチング時の画像データの処理の流れを示す図である。カラー画像処理システムに、ＲＧＢデータもしくはＣＭＹＫデータが入力されるとソースプロファイル、デスティネーションプロファイルを通してカラーマッチングされ、Ｃ’Ｍ’Ｙ’Ｋ’データとして出力される。通常の色変換処理の場合（ステップS８０８）、デスティネーションプロファイル内の色変換テーブルを用いて処理される。しかし、本実施形態で補正が行われた場合（ステップS８０６）、デスティネーションプロファイルではなく補正色変換テーブルを用いて色変換を行う。
【００６１】
図９は、ステップS８０４（及び後述のステップS１１０７）における出力色再現範囲補正処理の詳細を示すフローチャートである。図９を参照し、色再現範囲補正方法の一例として、補正後の最低明度点からの距離によって重み付けをしながら補正する方法を説明する。
【００６２】
ステップS９００において、ＣＰＵ１５０２は、出力色再現範囲の、あるグリッドの色度を複数取得する。
【００６３】
ステップS９０１で、ＣＰＵ１５０２は、補正前の出力色再現範囲の色度点と、補正後の最低明度となる色度点との差を算出する。補正前の出力色再現範囲の、あるグリッドの色度a*, b*と、補正後の最低明度点の色度a*_cr, b*_crとの差Δabは次の式で求められる。  
Δab = √((a* - a*_cr)^２ + (b* - b*_ cr)^２)
また、補正前の出力色再現範囲のあるグリッドの明度L*と、補正後の最低明度点の明度L*_crとの差ΔLは次の式で求められる。  
ΔL = |L* - L*_cr|
ここで、L*_crは、
L*_cr = minL_dst - L_correct  （目標明度）
と表せる。続いて、ＣＰＵ１５０２は、ステップS９０２の処理に進む。
【００６４】
ステップS９０２において、ＣＰＵ１５０２は、ΔLとΔabに重み付けをして、各色度点の補正を行う。以下は、算出式の例である。
【００６５】
L* = L* - (L*_cr - L*_k) / √((１ + (m ・ (ΔL)2  + n・(Δab)2))k)
a* = a* - (a*_cr - a*_k) / √((１ + (m ・ (ΔL)2  + n・(Δab)2))k)
b* = b* - (b*_cr - b*_k) / √((１ + (m ・ (ΔL)2  + n・(Δab)2))k)
ここで、L*_kは補正前の最低明度点の明度、a*_k、b*_kは補正前の最低明度点の色度を示す。また、m及びnは重み付け係数であり、プリンタのガマット形状によって適切な値を代入する。
【００６６】
ステップS９０３において、ＣＰＵ１５０２は、カウンタを一つ進めてステップS９０４の処理に進む。
【００６７】
ステップS９０４において、ＣＰＵ１５０２は、プリンタガマットを構成するすべてのグリッドに対して補正が終わったか否か（カウンタが全グリッド数に達したか否か）をチェックし、終わったら処理を終了する。終わっていなければ、ＣＰＵ１５０２は、ステップS９０１の処理へ進み、上記処理を繰り返す。
【００６８】
本実施形態によると、ソースプロファイルと出力色再現範囲の最低明度点に差がある場合、ユーザの用途に応じて、黒色点付近の階調性を重視するか、ソースとの色差を重視するか、最適なものを選択して色変換を行うことができる。また、補正色変換テーブルは設定されたソースプロファイルや補正レベルによって随時更新されるような仕組みになっているため、あらかじめ複数パターンの色変換テーブルを保持しておく必要はない。
【００６９】
また本実施形態は、図４のように複数のMFPがネットワーク上に存在するシステムにおいて、同じソースプロファイル指定されている同じ画像データを、違う出力特性を持つ複数のプリンタで出力するような場合においても有効である。即ち図４のようなシステムにおいても、本実施形態によって、ソースプロファイルや各々の出力色再現範囲によって最適なレベルの補正が行われるため、黒色点付近の階調性に関して同様な印象の出力画像を得ることができる。
【００７０】
（実施形態２）  
本実施形態では、上述の実施形態１のようにユーザが意図的に黒色点付近の階調性について設定するのではなく、プロファイルの種類やグレー補償設定、入力画像の属性によって自動で最適な補正処理を行う方法について説明する。実施形態１との違いは、図１１に示すメインの処理手順であり、図９の補正色変換テーブル作成処理の方法その他の処理については実施形態１と同様である。
【００７１】
＜動作説明＞  
図１１は、本実施形態のカラー画像処理システムの色変換処理を説明するメインのフローチャートである。図１１示す処理手順は、上述した図１５のホストコンピュータ１５０１のＣＰＵ１５０２が、メモリ１５０３にロードされているカラープロファイル作成ユーティリティプログラムを読み出して実行することにより行われる。
【００７２】
ステップS１１００において、ＣＰＵ１５０２は、図１、２及び３のような構成のプリンタ（カラーＭＦＰ４６ａ又は４６ｂ）へ印刷命令を送ると共に、ステップS１１０１の処理へ進む。
【００７３】
ステップS１１０１において、ＣＰＵ１５０２は、入力された画像のデータに付属した属性を判定する。属性がイメージやグラデーションだった場合は、ＣＰＵ１５０２は、ステップS１１０５の処理に進む。そうでない場合ＣＰＵ１５０２は、ステップS１１０２の処理に進む。
【００７４】
ステップS１１０２において、設定されているソースプロファイルがRGB系プロファイルか否かを判定する。RGB系プロファイルの場合はステップS１１０５に進み、CMYK系プロファイルである場合はステップS１１０３に進む。
【００７５】
ステップS１１０３において、ＣＰＵ１５０２は、プリンタのプロパティの設定等を参照し、プリント命令時にグレー補償ONの設定がなされたか否かを判定する。グレー補償ONの場合ＣＰＵ１５０２は、ステップS１１０５の処理に進み、そうでない場合はステップS１１０４の処理に進む。
【００７６】
以下のS１１０４〜S１１１０の処理は、図８のステップS８０２〜S８０８の処理と同様であるが、その概要を説明する。
【００７７】
ステップS１１０４において、ＣＰＵ１５０２は、通常の色変換テーブルを使用して入力画像の色変換を行い、ステップS１１１０の処理に進む。
【００７８】
一方ステップS１１０５において、ＣＰＵ１５０２は、設定されたソースプロファイルの最低明度値（以下、minL_srcとする）と出力色再現範囲の最低明度値（以下、minL_dstとする）を取得する。これらは、ICCプロファイルであればA２Bテーブルを参照すれば取得することが出来る。続いてＣＰＵ１５０２は、ステップS１１０６の処理に進む。
【００７９】
ステップS１１０６において、ＣＰＵ１５０２は、minL_srcとminL_dstとを比較し、あらかじめ設定されている最低明度補正目標値（以下、L_correctとする）との関係が以下のようになるかを判定する。  
minL_dst - L_correct >= minL_src  （１）
【００８０】
ここで、L_correctは出力色再現範囲の最低明度値と、黒色点付近の階調性と色再現精度との兼ね合いを考えて、適切な値が設定されている。上記の式（１）では、図１０に示すように出力色再現範囲の最低明度値を、最低明度補正目標値まで補正すると、ソースプロファイルの最低明度値よりも大きくなるか否かを判定している。この式（１）が成り立つ場合、ＣＰＵ１５０２は、ステップS１１０７の処理に進み、補正によってソースプロファイルの最低明度値よりも小さくなる場合はステップS１１０４の処理に進む。
【００８１】
ステップS１１０７において、ＣＰＵ１５０２は、出力色再現範囲の補正後の最低明度値（以下、Lmin_dst’とする；目標明度）が以下のようになるよう、色変換テーブルを補正する。  
minL_dst’= minL_dst - L_correct
【００８２】
この詳細処理は、図９を参照して上述した説明のとおりである。
【００８３】
ステップS１１０８において、ＣＰＵ１５０２は、ステップS１１０７での結果を受けて補正色変換テーブルを作成し、格納部（メモリ１５０３）に格納してステップS１１０９の処理に進む。
【００８４】
ステップS１１０９において、ＣＰＵ１５０２は、ステップS１１０８で作成した補正色変換テーブルを使用して入力画像の色変換を行い、ステップS１１１０の処理に進む。
【００８５】
ステップS１１１０において、ＣＰＵ１５０２は、色処理された画像の出力指示をプリンタに対して行い、処理を終了する。
【００８６】
本実施形態によると、黒色点付近の階調性に関して、プロファイルの種類やグレー補償設定、入力画像の属性によって自動で設定を切り替えることができる。
【００８７】
尚、上述の実施形態では、プロファイルの種類については、デフォルトでは、最低明度が必ずＬ＊＝０になるＲＧＢ系プロファイルが入力された際に補正処理が行われるようにしてある。しかし、ＣＭＹＫ系プロファイルでも最低明度点が低いものも存在するので、判定方法は上述の限りではない。また、グレー補償設定については、グレー補償ＯＮ設定の最低明度が高くなる傾向にあるので上述のような判定方法になっているが、出力色再現特性によってはグレー補償ＯＦＦであっても補正を行うような判定方法にしても構わない。また入力画像属性については、特に階調性が重要となるイメージやグラデーションについて補正処理がかかるように設定しているが、目的やプリンタの出力色再現範囲によっては他の属性も補正する判定にすることも可能である。
【００８８】
さらに、上述の実施形態では、プロファイルの種類やグレー補償設定、入力画像の属性によって補正処理をするかしないかを判断しているが、図１２のＵＩ例のように補正の程度を段階的に調整することも可能である。図１３は、図１２の設定に基づいて処理する際に参照される、L_correctを決定する補正テーブルの例を示す図である。
【００８９】
また、ステップS１１０５、S１１０６の処理をステップS１１０１の前に行い、ソースプロファイルと出力色再現範囲との最低明度値の比較をした結果によって補正の有無を判断することも可能である。具体的には、「S１１０６のＮ＝＞Ｓ１１０４へ進む」及び「S１１０６のＹ＝＞Ｓ１１０１へ進む」とすればよい。
【００９０】
（他の実施形態）  
以上述べた実施形態の他に次の形態を実施できる。  
（１）上述の実施形態では、ネットワークを構成するハードウェア等が含まれるものの、各データ処理を順次実施するソフトウェアでも実現できるものである。即ち、上述した実施の形態の機能を実現するソフトウェアのプログラムコードを記録した記憶媒体（または、記録媒体）を、システムあるいは装置に供給する。そして、そのシステムあるいは装置のコンピュータ（または、ＣＰＵやＭＰＵ）が、記憶媒体に格納されたプログラムコードを読み出し、実行することによっても達成されることは言うまでもない。この場合、記憶媒体から読み出されたプログラムコード自体が、上述した実施の形態の機能を実現することになり、そのプログラムコードを記憶しはCD、MD、メモリカード、MO等のさまざまな記憶媒体に書き込み可能である。  
また、コンピュータが読み出したプログラムコードを実行することにより、上述した実施の形態の機能が実現されるだけではない。即ち、そのプログラムコードの指示に基づき、コンピュータ上で稼働しているオペレーティングシステム（ＯＳ）等が、実際の処理の一部または全部を行い、その処理によって、上述した実施の形態の機能が実現される場合も含まれることは言うまでもない。  
さらに、記憶媒体から読み出されたプログラムコードが、コンピュータに挿入された機能拡張カードやコンピュータに接続された機能拡張ユニットに備わるメモリに書き込まれる。その後、そのプログラムコードの指示に基づき、その機能拡張カードや機能拡張ユニットに備わるＣＰＵ等が、実際の処理の一部または全部を行い、その処理によって、上述した実施の形態の機能が実現される場合も含まれることは言うまでもない。
（２）上述の実施形態では、図８又は図１１示す処理手順は、上述した図１５のホストコンピュータ１５０１のＣＰＵ１５０２が、メモリ１５０３にロードされているカラープロファイル作成ユーティリティプログラムを読み出して実行することにより行われる。  
しかし、それらの一部の処理は、プリンタ（ＭＦＰ）で行っても良い。例えば、図８のステップS８０１、S８０６、S８０８、及び図１１のステップS１１０１、S１１０２、S１１０３、S１１０９、S１１０４等の処理手順である。これらは、ＭＦＰ制御部１８が、メモリ部１９に格納された制御プログラムを読み出して実行することにより行われるようにしてもよい。この場合、所要のデータ（色変換テーブルその他）を予めプリンタ（ＭＦＰ）も有するようにすればよい。又は、所要のデータや種々の指示コマンド等を、ステップS８０１、S８０６、S８０８、及びステップS１１０１、S１１０２、S１１０３、S１１０９、S１１０４の前後で、ＣＰＵ１５０２とＭＦＰ制御部１８との間で通信するようにすればよい。これらの変形形態は、当業者には容易に理解可能であろう。
（３）尚、上述した実施形態は、いずれも本発明を実施するにあたっての具体化の例を示したものに過ぎず、これらによって本発明の技術的範囲が限定的に解釈されてはならないものである。即ち、本発明はその技術思想、またはその主要な特徴から逸脱することなく、様々な形で実施することができる。
【００９１】
（実施形態の効果）  
以上説明したように本実施形態によれば、第１の態様として、色変換処理を行うことができるカラー画像処理システム（１５０１）は、以下の機能を有する。即ち、設定又は出力条件を判定する出力条件判定手段（１５０２、S８０１、S１１０１〜S１１０３）と、ソースプロファイルと出力色再現範囲との最低明度値を比較する最低明度値比較手段（１５０２、S８０３、S１１０６）とを備える。さらに、上記出力条件判定手段による判定結果と上記最低明度値比較手段による比較結果とにより作成を要すると判断された場合、上記出力色再現範囲を補正し色変換テーブルを作成する補正色変換テーブル作成手段を備える。補正色変換テーブル作成手段は、（１５０２、S８０４〜S８０５、S１１０７〜S１１０８）を指す。また、上記出力条件判定手段による判定結果又は上記最低明度値比較手段による比較結果により、通常色変換テーブルと上記補正色変換テーブルとを使い分けて色変換処理を行う色変換処理手段（１５０２、S８０６、S８０８、S１１０９、S１１０４）を備える。
【００９２】
ここで、第２の態様として、上記補正色変換テーブル作成手段は、以下の機能を有する。即ち、最低明度を持つ色度点をあらかじめ設定した目標明度に補正し（S９０１）、それに伴い上記出力色再現範囲を明度と彩度に重み付けをすることにより（S９０２）その出力色再現範囲の全体のバランスを保ちながら補正する（S８０４、S１１０７、図９）。
【００９３】
また、第３の態様として、第１の態様において、上記出力条件判定手段は、以下の機能を有する。即ち、入力手段（プリンタドライバのユーザインタフェース又は画像形成装置のタッチパネルなど）が受け付けるユーザの指示による上記設定によって上記通常色変換テーブルを使い分ける（１５０２、S８０１）ことを特徴とすることができる。
【００９４】
また、第４の態様として、第１の態様において、上記出力条件判定手段は、上記出力条件によって上記通常色変換テーブルを自動的に使い分ける（１５０２、S１１０１〜S１１０３）ことを特徴とすることができる。
【００９５】
また、第５の態様として、第２の態様において、上記目標明度は、上記出力色再現範囲の最低明度（S９０１）又は形状（S９０２）に合わせて設定されることを特徴とすることができる。
【００９６】
また、第６の態様として、第２の態様において、上記目標明度について補正レベルを選択できるように、複数の目標明度を規定するパラメータ（L_correct）が設定されているテーブル（図１３）を保持することを特徴とすることができる。
【００９７】
また、第７の態様として、第４の態様において、上記出力条件は、入力画像の属性情報、グレー補償設定、又はソースプロファイルの種類を含む（S１１０１〜S１１０３）ことを特徴とすることができる。
【００９８】
また、第８の態様として、第１の態様において、ソースプロファイルの変更又は補正レベル再設定によって、上記最低明度値比較手段と上記補正色変換テーブル作成手段とを順次起動し、上記補正色変換テーブルを再作成することを特徴とすることができる。
【００９９】
また、第９の態様として、第１の態様において、ネットワーク上で接続された色変換処理を行うことができる複数のカラー画像形成装置に関する、同じソースプロファイル、同じ画像が入力された際は、以下の機能を有する。即ち、各々のカラー画像形成装置の出力色再現範囲の最低明度点とソースプロファイルの最低明度点との関係から、各々のカラー画像形成装置の補正色変換テーブルを作成し補正を行うことを特徴とすることができる。
【０１００】
以上の構成により、本実施形態によると、ソースプロファイルと出力色再現範囲の最低明度点に差がある場合、ユーザの用途に応じて、黒色点付近の階調性を重視するか、ソースとの色差を重視するか、最適なものを選択して色変換を行うことができる。また、補正色変換テーブルは設定されたソースプロファイルや補正レベルによって随時更新されるような仕組みになっているため、あらかじめ複数パターンの色変換テーブルを保持しておく必要はない。
【０１０１】
また本実施形態は、図４のように複数のMFPがネットワーク上に存在するシステムにおいて、同じソースプロファイル指定されている同じ画像データを、違う出力特性を持つ複数のプリンタで出力するような場合においても有効である。即ち図４のようなシステムにおいても、本実施形態によって、ソースプロファイルや各々の出力色再現範囲によって最適なレベルの補正が行われるため、黒色点付近の階調性に関して同様な印象の出力画像を得ることができる。
【０１０２】
また本実施形態２によると、黒色点付近の階調性に関して、プロファイルの種類やグレー補償設定、入力画像の属性によって自動で設定を切り替えることができる。
【図面の簡単な説明】
【０１０３】
【図１】本発明を適用できる実施形態の４Ｄカラー系ＭＦＰのプリンタ部の構造を示す断面図である。
【図２】本発明を適用できる実施形態の４Ｄカラー系ＭＦＰの作像部の構成を示す断面図である。
【図３】本発明を適用できる実施形態のＭＦＰのモジュール構成を示すブロック図である。
【図４】本発明を適用できる実施形態の複数のＭＦＰがネットワーク上に存在するシステムを示す図である。
【図５】ソースプロファイルの色再現範囲と出力色再現範囲の違いによる黒点付近の階調つぶれを説明した図である。
【図６】本発明を適用できる実施形態の黒点付近の階調性補正の有無を設定するドライバＵＩの一例を示す図である。
【図７】本発明を適用できる実施形態の黒点付近の階調性補正の有無を設定する本体パネルの一例を示す図である。
【図８】本発明を適用できる実施形態１のメイン処理のフローチャートの図である。
【図９】本発明を適用できる実施形態のステップS８０４の出力色再現範囲を補正する処理のフローチャートの図である。
【図１０】本発明を適用できる実施形態の出力色再現範囲の補正結果イメージを示す図である。
【図１１】本発明を適用できる実施形態２のメイン処理のフローチャートの図である。
【図１２】本発明を適用できる実施形態の黒点付近の階調性補正のレベルを設定するＵＩの一例を示す図である。
【図１３】本発明を適用できる実施形態の図１２の設定に基づいた補正テーブルの一例を示す図である。
【図１４】本発明を適用できる実施形態のカラーマネージメント処理時のフローを示す図である。
【図１５】本発明を適用できる実施形態のカラー画像処理システムの構成を示すブロック図である。
【図１６】従来の出力色再現範囲の補正結果イメージを示す図である。
【図１７】従来の複数のＭＦＰがネットワーク上に存在するシステムを示す図である。
【符号の説明】
【０１０４】
１  スキャナ部
２  レーザ露光部
３  感光ドラム
４  作像部
５  定着部
６  給紙／搬送部
７  ポリゴンミラー
８  両面搬送経路
９  シート収納庫
１０  クリーナユニット
１１  一次帯電器
１２  電位センサ
１３  現像器
１４  転写帯電器
１５  入力画像処理部
１６  NIC部／RIP部
１７  操作部
１８  MFP制御部
１９  メモリ部
２０  出力画像処理部
２１  プリンタ部
２２  後処理部
４１、４２  クライアントＰＣ
４３  プリントサーバ
４４  ネットワーク
４５ａ、４５ｂ  白黒ＭＦＰ
４６ａ〜４６ｃ  カラーＭＦＰ
１５０１  ホストコンピュータ
１５０２  ＣＰＵ
１５０３  メモリ
１５０４  外部記憶
１５０５  入カ部
１５０６  インタフェース
１５０７  カラー画像出力装置
【図１】
2008258845.tif 000003
【図２】
2008258845.tif 000004
【図３】
2008258845.tif 000005
【図４】
2008258845.tif 000006
【図５】
2008258845.tif 000007
【図６】
2008258845.tif 000008
【図７】
2008258845.tif 000009
【図８】
2008258845.tif 000010
【図９】
2008258845.tif 000011
【図１０】
2008258845.tif 000012
【図１１】
2008258845.tif 000013
【図１２】
2008258845.tif 000014
【図１３】
2008258845.tif 000015
【図１４】
2008258845.tif 000016
【図１５】
2008258845.tif 000017
【図１６】
2008258845.tif 000018
【図１７】
2008258845.tif 000019